(57)【要約】【課題】電動弁を軸方向において小型化しつつ、弁本体に組み付けた際の保持力の低下を抑制することができるステータコイル、及び該ステータコイルを備えた電動弁を提供する。【解決手段】ステータコイル２０における取付部９の連結部９５が、ケース６２を径方向から挟み込む一対の挟持部９５１Ａ、９５２Ａを有してケース６２の少なくとも半周を囲むことで、連結部９５のうち一対の挟持部９５１Ａ、９５２Ａの間に位置する部分によって、一対の挟持部９５１Ａ、９５２Ａの挟持力を確保しやすい。また、連結部９５がケース６２を囲むことにより、取付部の一部がケース６２に対してＺ方向に並ぶように配置される構成と比較して、電動弁１全体の軸方向寸法を小さくすることができる。従って、電動弁１を軸方向において小型化しつつ、弁本体１０に組み付けた際の保持力の低下を抑制することができる。【選択図】図２
2022002452.tif 000002
【特許請求の範囲】
【請求項１】
弁本体においてマグネットを収容する筒状のマグネット収容部に組み付けられることにより、前記弁本体とともに電動弁を構成するステータコイルであって、
コイルを含むとともに前記マグネット収容部が挿通される環状の本体部と、
前記本体部に対して軸方向の一方側に設けられるとともに前記マグネット収容部に取り付けられる取付部と、を備え、
前記取付部は、前記マグネット収容部を径方向から挟み込む一対の挟持部を有して当該マグネット収容部の少なくとも半周を囲む周囲部と、前記マグネット収容部の外周面に係止される少なくとも１つの係止部と、を有することを特徴とするステータコイル。
【請求項２】
前記取付部は、前記挟持部に設けられた前記係止部を有することを特徴とする請求項１に記載のステータコイル。
【請求項３】
前記取付部は、前記周囲部によって連結されるとともに当該周囲部を前記本体部に支持させる複数の支持部を有することを特徴とする請求項１又は２に記載のステータコイル。
【請求項４】
前記取付部は、前記周囲部を前記本体部に支持させる支持部に対して前記軸方向に並ぶ位置に設けられた前記係止部を有することを特徴とする請求項１又は２に記載のステータコイル。
【請求項５】
請求項１〜４のいずれか１項に記載のステータコイルと、前記弁本体と、を備えることを特徴とする電動弁。
【発明の詳細な説明】
【技術分野】
【０００１】
本発明は、ステータコイル及び電動弁に関する。
【背景技術】
【０００２】
一般に、電磁アクチュエータを備えることで弁開度を調整可能な電動弁が知られている。このような電動弁として、コイルを含むユニットと電動弁本体との固定にブラケットを用いたものが提案されている（例えば、特許文献１参照）。特許文献１に記載された電動弁では、励磁コイルを含む成形体がケース本体に収容されており、このケース本体にブラケットが取り付けられるようになっている。
【先行技術文献】
【特許文献】
【０００３】
【特許文献１】特開２００６−０２０４７９号公報
【発明の概要】
【発明が解決しようとする課題】
【０００４】
特許文献１に記載された電動弁では、筒状のケース本体に対し、軸方向の一方側にブラケットが取り付けられるようになっている。このブラケットは、ケース本体に支持される部分から軸方向の一方側に向かって延びた後、径方向に沿って延び、軸方向の他方側に向かって延びてケース本体に再び支持される形状を有している。即ち、ブラケットのうち軸方向に沿って延びる一対の部分によって、電動弁本体を挟み込むようになっている。このとき、ブラケットのうち径方向に沿って延びる部分は、電動弁本体に対して軸方向の一方側に配置されるため、電動弁全体の軸方向寸法が大きくなりやすかった。
【０００５】
そこで、電動弁全体の軸方向寸法を小さくするために、ブラケットのうち径方向に沿って延びる部分を省略する構成も考えられるものの、ブラケットによって電動弁を挟み込んで保持するための力が低下してしまう可能性がある。即ち、電動弁の小型化と保持力の確保とを両立することは困難であった。
【０００６】
本発明の目的は、電動弁を軸方向において小型化しつつ、弁本体に組み付けた際の保持力の低下を抑制することができるステータコイル、及び該ステータコイルを備えた電動弁を提供することである。
【課題を解決するための手段】
【０００７】
本発明のステータコイルは、弁本体においてマグネットを収容する筒状のマグネット収容部に組み付けられることにより、前記弁本体とともに電動弁を構成するステータコイルであって、コイルを含むとともに前記マグネット収容部が挿通される環状の本体部と、前記本体部に対して軸方向の一方側に設けられるとともに前記マグネット収容部に取り付けられる取付部と、を備え、前記取付部は、前記マグネット収容部を径方向から挟み込む一対の挟持部を有して当該マグネット収容部の少なくとも半周を囲む周囲部と、前記マグネット収容部の外周面に係止される少なくとも１つの係止部と、を有することを特徴とする
【０００８】
以上のような本発明によれば、周囲部が、マグネット収容部を径方向から挟み込む一対の挟持部を有してマグネット収容部の少なくとも半周を囲むことで、周囲部のうち一対の挟持部の間に位置する部分によって、一対の挟持部の挟持力を確保しやすい。即ち、ステータコイルを弁本体に組み付ける際、一対の挟持部同士が離れるように周囲部を変形させると、一対の挟持部同士を近づけるような復元力が周囲部に生じ、この復元力を挟持力とすることができる。また、周囲部が筒状のマグネット収容部を囲むことにより、取付部の一部がマグネット収容部に対して軸方向に並ぶように配置される構成と比較して、電動弁全体の軸方向寸法を小さくすることができる。従って、電動弁を軸方向において小型化しつつ、弁本体に組み付けた際の保持力の低下を抑制することができる。
【０００９】
この際、本発明のステータコイルでは、前記取付部は、前記挟持部に設けられた前記係止部を有することが好ましい。このような構成によれば、係止部がマグネット収容部の外周面に係止される際に、一対の挟持部によってマグネット収容部を挟み込む挟持力を利用することができ、係止力を向上させることができる。
【００１０】
また、本発明のステータコイルでは、前記取付部は、前記周囲部によって連結されるとともに当該周囲部を前記本体部に支持させる複数の支持部を有することが好ましい。このような構成によれば、２つの支持部の間において周囲部を変形しにくくし、支持部が１つである構成と比較して、一対の挟持部の挟持力を向上させることができる。
【００１１】
また、本発明のステータコイルでは、前記取付部は、前記周囲部を前記本体部に支持させる支持部に対して前記軸方向に並ぶ位置に設けられた前記係止部を有することが好ましい。このような構成によれば、支持部に対して軸方向に並ぶ位置において周囲部は変形しにくく、このような位置に係止部が設けられることにより、係止部による係止力を向上させることができる。
【００１２】
本発明の電動弁は、上記いずれかに記載のステータコイルと、前記弁本体と、を備えることを特徴とする。以上のような本発明によれば、上記のように、電動弁を軸方向において小型化しつつ、弁本体に組み付けた際の保持力の低下を抑制することができる。
【発明の効果】
【００１３】
本発明のステータコイル及び電動弁によれば、電動弁を軸方向において小型化しつつ、弁本体に組み付けた際の保持力の低下を抑制することができる。
【図面の簡単な説明】
【００１４】
【図１】本発明の一例である実施形態にかかる電動弁を示す正面図である。
【図２】前記電動弁を示す断面図である。
【図３】前記電動弁のステータコイルを示す断面図である。
【図４】前記ステータコイルを示す上面図である。
【図５】前記ステータコイルの取付部を示す上面図である。
【図６】前記取付部を示す正面図である。
【図７】前記取付部を示す断面図である。
【図８】前記電動弁のマグネット収容部に対して前記取付部を取り付ける様子を示す断面図である。
【発明を実施するための形態】
【００１５】
本発明の実施形態について、図面を参照して説明する。本実施形態の電動弁１は、パッケージエアコンやルームエアコン等の空気調和機の冷凍サイクルシステムに用いられるものであって、図１、２に示すように、弁本体１０とステータコイル２０とを備える。
【００１６】
［弁本体の構造］
弁本体１０は、弁ハウジング２と、弁体３と、弁ホルダ４と、支持部材５と、ロータユニット６と、を備える。ロータユニット６とステータコイル２０とによって、ステッピングモータ３０が構成される。
【００１７】
弁ハウジング２は、円筒状に形成され、その内側の弁室２Ａ内に弁体３および弁ホルダ４を収容する。以下では、弁ハウジング２の軸方向をＺ方向とし、Ｚ方向に直交する２方向をそれぞれＸ方向及びＹ方向とする。また、Ｚ方向における上下は図１を基準とする。弁ハウジング２には、弁室２Ａに連通する継手管２１が側面に取り付けられるとともに、下端部には筒状開口部２２が形成されている。筒状開口部２２には、Ｚ方向に延びる継手管２３の端部が挿通されて接続されるとともに、継手管２３に隣り合うように弁座部材７が圧入される。継手管２３は、弁座部材７の弁ポート７０に連通している。
【００１８】
弁体３は、弁ホルダ４の下端に固着されて下方に向かって延び、先端にニードル弁３１を有している。ニードル弁３１が弁座部材７の後述するシール部７１に対して着座又は離座する。
【００１９】
弁ホルダ４は、Ｚ方向に沿って延びる円筒状に形成され、その上端部が、ロータユニット６の後述するロータ軸６１の下端部に係合されている。即ち、弁ホルダ４は、ロータ軸６１によって吊り下げられており、ロータ軸６１に対して回転可能となっている。また、弁ホルダ４内には、圧縮コイルバネ４１が設けられ、弁体３に対して下方への荷重が与えられている。尚、圧縮コイルバネ４１は説明の都合上、図１において破線によって省略して図示している。
【００２０】
支持部材５は、弁ハウジング２の上方開口を塞ぐように、フランジ部５１において弁ハウジング２に固定されている。支持部材５には、弁ホルダ４を収容するとともにＺ方向に案内する案内凹部５２と、ロータ軸６１が螺合する雌ネジ部５３と、案内凹部５２とロータユニット６の後述するケース６２内の空間とを連通する連通孔５４と、が形成されている。
【００２１】
ロータユニット６は、ロータ軸６１と、ケース６２と、マグネットロータ６３と、で構成されている。ケース６２内には、外周部を多極に着磁されたマグネットロータ６３が回転可能に設けられ、このマグネットロータ６３にはロータ軸６１が固着されている。また、ケース６２の外周には、ステータコイル２０が配設されており、ステッピングモータ３０は、ステータコイル２０にパルス信号が与えられることにより、そのパルス数に応じてマグネットロータ６３を回転させる。
【００２２】
ケース６２は、マグネットとしてのマグネットロータ６３を収容することでマグネット収容部として機能する。ケース６２は、上板部６２１と円筒部６２２とを有して有底円筒状に形成されており、上板部６２１と円筒部６２２とが滑らかに接続されている。即ち、円筒部６２２は、上方に向かうにしたがって徐々に外径が小さくなりつつ上板部６２１に接続され、ケース６２の上端部は先細り形状を有している。円筒部６２２の外周面には、図８に示すように、複数（本実施形態では５個）のディンプル（係止凹部）６２３が形成されている。ディンプル６２３は、円筒部６２２のうち上板部６２１の近傍に配置され、複数のディンプル６２３がＺ方向周りの周方向に沿って並んでいる。５個のディンプル６２３は等間隔で並んでおり、隣り合うディンプル６２３同士の間隔は７２°となっている。
【００２３】
ロータ軸６１の外周面には、支持部材５の雌ネジ部５３と螺合する雄ネジ部６１１が形成されている。ステッピングモータ３０が駆動することで、マグネットロータ６３及びロータ軸６１が回転し、雄ネジ部６１１と雌ネジ部５３とにより構成されるネジ送り機構により、ロータ軸６１がＺ方向に移動する。これにより、ロータ軸６１に吊り下げられた弁ホルダ４が、支持部材５の案内凹部５２に案内されつつＺ方向に移動し、弁体３のニードル弁３１がシール部７１に対して着座又は離座し、弁ポート７０が開閉される。そして、弁体３のＺ方向の位置（リフト量）に応じて弁ポート７０の開度が制御され、弁ポート７０を流れる流体の流量が制御される。
【００２４】
［ステータコイルの構造］
ステータコイル２０は、マグネット収容部としてのケース６２に組み付けられることにより、弁本体１０とともに電動弁１を構成するものであって、図３、４に示すように、円筒状（環状）の本体部８と、本体部８を弁本体１０に取り付けるための取付部９と、を備える。ステータコイル２０の本体部８の軸方向をｚ方向とし、ｚ方向に直交する２方向をｘ方向及びｙ方向とする。ステータコイル２０が弁本体１０に組み付けられた状態において、ｚ方向がＺ方向に一致する。
【００２５】
本体部８は、円環状のステータヨーク８１と、円筒状且つ樹脂製のボビン８２と、ボビン８２に巻回されたコイル８３と、ケース８４と、を有する。ステータヨーク８１とボビン８２とが一体に形成されることにより、コイル８３とともに成形体を構成する。成形体がケース８４に収容され、ケース８４の内周側とボビン８２の外周側とにより形成される空間が注型樹脂８５により封止される。ボビン８２には、電流を供給する端子８６が圧入されており、端子８６は基板８７を介してリード線８８に接続される（図２参照）。
【００２６】
ケース８４は、筒状部８４１と、筒状部８４１の上端部に接続されるとともに開口部８４３が形成された円環部８４２と、を有する。円環部８４２は、ステータヨーク８１又はボビン８２に当接する外周部８４４と、外周部８４４よりも内周側且つ上側に位置する内周部８４５と、を有する。内周部８４５は、ステータヨーク８１又はボビン８２の上面に対して離隔し、後述する脚部９１、９２を収容して係止可能に形成されている。ボビン８２の上面のうち内周部８４５によって上側から覆われる部分からは、取付部９を係止するための２つの係止突起８２１が突出しており、２つの係止突起８２１はｘ方向からボビン８２の開口を挟み込むように配置されている。
【００２７】
取付部９は、例えば板金によって形成され、図５〜７にも示すように、２つの脚部９１、９２と、脚部９１、９２のそれぞれからｚ方向に沿って上側に向かって延びる立上部９３、９４と、２つの立上部９３、９４を連結する連結部９５と、を一体に有する。
【００２８】
脚部９１、９２は、ｘｙ平面に沿って延び、ケース８４の内周部８４５とステータヨーク８１又はボビン８２の上面との隙間に配置可能な厚さを有している。即ち、脚部９１、９２は、この隙間に配置されることで連結部９５を本体部８に支持させるようになっており、支持部として機能する。２つの脚部９１、９２は、ｘ方向に対向するように配置されており、立上部９３、９４のそれぞれから互いに反対側に向かうように延びている。脚部９１、９２は、それぞれ立上部９３、９４側を基端とした際の先端側が二股形状を有している。即ち、脚部９１、９２の先端部のうちｙ方向中央部に凹部９１１、９２１が形成されている。立上部９３、９４は、脚部９１、９２に対して直角に屈曲されるとともに帯板状に形成されており、ｙｚ平面に沿って延びる。
【００２９】
連結部９５は、全体が帯板状に形成され、立上部９３に接続されてｙｚ平面に沿って延びる第１部分９５１と、立上部９４に接続されてｙｚ平面に沿って延びる第２部分９５２と、ｚｘ平面に沿って延びる第３部分９５３と、を一体に有する。第１部分９５１と第３部分９５３とが滑らかな曲面部９５４によって接続され、第２部分９５２と第３部分９５３とが滑らかな曲面部９５５によって接続されることにより、連結部９５はｚ方向から見てＵ字状となっている。
【００３０】
第１部分９５１は、立上部９３に対し、ｙ方向において第３部分９５３とは反対側に突出した突出部９５６を有する。第２部分９５２は、立上部９４に対し、ｙ方向において第３部分９５３とは反対側に突出した突出部９５７を有する。連結部９５は、マグネット収容部としてのケース６２の周囲に配置された際に、ケース６２を半周よりも広い範囲において囲むことにより、周囲部として機能する。ステータコイル２０がケース６２に組み付けられた際、第１部分９５１と第２部分９５２とがケース６２を挟みこみ、第１部分９５１及び第２部分９５２のそれぞれにおいてケース６２に当接する部分が、ケース６２を径方向から挟み込む挟持部９５１Ａ、９５２Ａとなる。組付前状態（取付部９が本体部８に取り付けられており、且つ、ステータコイル２０がケース６２に組み付けられる前の状態）の連結部９５において、一対の挟持部９５１Ａ、９５２Ａ同士の間隔は、ケース６２の外径よりも小さい。これによりステータコイル２０がケース６２に対して保持される。
【００３１】
連結部９５のうち立上部９３、９４が接続される部分には、立上部９３、９４を挟むように凹部９６が形成されている。また、連結部９５のうち立上部９３、９４のそれぞれに対してｚ方向上側の領域には、互いに向かい合うように突出した凸状の係止部９７、９８が形成されている。係止部９７、９８は、それぞれ支持部としての脚部９１、９２に対してｚ方向に並ぶ位置に設けられている。２つの係止部９７、９８は、ｘ方向に対向する位置に設けられている。即ち、係止部９７、９８は、それぞれ、挟持部９５１Ａ、９５２Ａに設けられている。
【００３２】
取付部９は、以下のようにして本体部８に取り付けられて支持される。一対の脚部９１、９２同士を近づけるように取付部９（主として連結部９５）を変形させ、脚部９１、９２がケース８４の開口部８４３を通過したら取付部９を復元させる。このとき、本体部８の係止突起８２１を二股形状の脚部９１、９２の凹部９１１、９２１に位置付ける。これにより、脚部９１、９２が係止突起８２１によって係止され、本体部８と取付部９とのｘ方向及びｙ方向の相対移動が規制される。さらに、内周部８４５とステータヨーク８１又はボビン８２の上面との間に脚部９１、９２が位置づけられることにより、脚部９１、９２が内周部８４５によって係止され、本体部８と取付部９とのｚ方向の相対移動が規制される。なお、内周部８４５には、脚部９１、９２との間隔を小さくするために、ステータヨーク８１又はボビン８２側に向かって突出する規制部８４６が設けられている。取付部９は、本体部８に対してｚ方向の一方側（図３における上側）に設けられる。
【００３３】
ここで、ステータコイル２０を弁本体１０に対して組み付ける方法について説明する。まず、ステータコイル２０と弁本体１０とをＺ方向（ｚ方向）周りの周方向において位置合わせ（相対角度を調節）しつつ、ケース６２を上端側から環状の本体部８に挿通していく。即ち、図８に示すように、５個のディンプル６２３のうち１個と、２個の係止部９７、９８のうち１個と、の周方向位置を一致させる。ケース６２を挿通していくと、挟持部９５１Ａ、９５２Ａがケース６２の外周面に当接することにより、一対の挟持部９５１Ａ、９５２Ａ同士が離れるように連結部９５が変形する。さらに挿通していくと、ディンプル６２３と係止部９７、９８とが係合し、連結部９５が若干復元する。
【００３４】
上記のようにステータコイル２０が弁本体１０に対して組み付けられた状態において、連結部９５は、自然状態に対して一対の挟持部９５１Ａ、９５２Ａ同士が離れた状態となっており、一対の挟持部９５１Ａ、９５２Ａ同士を近づけるような復元力が生じる。この復元力が一対の挟持部９５１Ａ、９５２Ａの挟持力となる。このとき、ディンプル６２３と係止部９７、９８とが係合していることにより、ステータコイル２０と弁本体１０とが、Ｚ方向を中心として相対回転したり、Ｚ方向に沿って相対移動したりすることが規制される。
【００３５】
尚、５個のディンプル６２３のうち１個と、２個の係止部９７、９８のうち１個と、が係合している状態において、作業者が、取付部９を変形させて係合を解除しつつ、ステータコイル２０と弁本体１０とを相対回転させることにより、係合するディンプル６２３と係止部９７、９８との組み合わせを変更してもよい。また、ステータコイル２０と弁本体１０とを周方向において位置合わせせずにケース６２を本体部８に挿通した後、ステータコイル２０と弁本体１０とを相対回転させることでディンプル６２３と係止部９７、９８とを係合させてもよい。
【００３６】
以上の本実施形態によれば、連結部９５が、ケース６２を径方向から挟み込む一対の挟持部９５１Ａ、９５２Ａを有してケース６２の少なくとも半周を囲むことで、連結部９５のうち一対の挟持部９５１Ａ、９５２Ａの間に位置する部分によって、一対の挟持部９５１Ａ、９５２Ａの挟持力を確保しやすい。また、連結部９５がケース６２を囲むことにより、取付部の一部がケース６２に対してＺ方向に並ぶように配置される構成と比較して、電動弁１全体の軸方向（Ｚ方向及びｚ方向）寸法を小さくすることができる。従って、電動弁１を軸方向において小型化しつつ、弁本体１０に組み付けた際の保持力の低下を抑制することができる。
【００３７】
また、係止部９７、９８が挟持部９５１Ａ、９５２Ａに設けられていることで、係止部９７、９８がケース６２の外周面に係止される際に、一対の挟持部９５１Ａ、９５２Ａによってケース６２を挟み込む挟持力を利用することができ、係止力を向上させることができる。
【００３８】
また、取付部９が２つの脚部９１、９２を有することで、２つの脚部９１、９２（立上部９３、９４）の間において連結部９５を変形しにくくし、脚部が１つである構成と比較して、一対の挟持部９５１Ａ、９５２Ａの挟持力を向上させることができる。
【００３９】
また、脚部９１、９２に対してｚ方向に並ぶ位置において連結部９５は変形しにくく、このような位置に係止部９７、９８が設けられることにより、係止部９７、９８による係止力を向上させることができる。
【００４０】
なお、本発明は、前記実施形態に限定されるものではなく、本発明の目的が達成できる他の構成等を含み、以下に示すような変形等も本発明に含まれる。例えば、前記実施形態では、係止部９７、９８が挟持部９５１Ａ、９５２Ａに設けられているものとしたが、取付部は、挟持部に設けられた係止部に加えて、挟持部以外の位置に係止部を有していてもよい。また、取付部において、挟持部に係止部が設けられておらず、他の位置にのみ係止部が設けられる構成としてもよい。ステータコイルが弁本体に組み付けられた状態において、連結部（周囲部）の各部には、ケース（マグネット収容部）に押し付けられるような復元力が生じており、この復元力は位置によって異なる。係止部の周囲部における位置は、上記の復元力によって適宜な係止力が得られるように設定されればよい。例えば、ステータコイル２０と弁本体１０との相対角度を調節する頻度が高い場合には、係止力を低く設定し、この頻度が低い場合には、係止力を高く設定すればよい。
【００４１】
また、前記実施形態では、取付部９が支持部として２つの脚部９１、９２を有するものとしたが、取付部は、３つ以上の支持部を有していてもよいし、１つの支持部のみを有していてもよい。１つの支持部のみが設けられる場合、周囲部の板厚を厚くしたり、リブを設けたりすることにより、周囲部が適宜な剛性を有するようにすればよい。また、１つの支持部のみが設けられる場合、支持部を本体部にねじ止め等の適宜な方法により固定すればよい。
【００４２】
また、前記実施形態では、係止部９７、９８が脚部９１、９２に対してｚ方向に並ぶ位置に設けられるものとしたが、取付部は、この位置に設けられた係止部に加えて、他の位置に設けられた係止部を有していてもよい。また、取付部において、支持部に対してｚ方向に並ぶ位置には係止部が設けられておらず、他の位置にのみ係止部が設けられる構成としてもよい。また、取付部には、少なくとも１つの係止部が設けられていればよい。
【００４３】
また、前記実施形態では、係止部９７、９８が連結部９５に設けられているものとしたが、係止部は、取付部のうち周囲部以外の部分（例えば立上部）に設けられていてもよく、所望の係止力が得られるように配置が設定されればよい。
【００４４】
また、前記実施形態では、周囲部としての連結部９５がＵ字状（即ち開環状）であるものとしたが、周囲部はＯ字状等の閉環状であってもよい。また、周囲部は、マグネット収容部を少なくとも半周囲んでいればよく、周囲部の形状はマグネット収容部の外周面に沿ったものであってもよいし、沿ったものでなくてもよい。
【００４５】
また、前記実施形態では、ケース６２に凹状のディンプル６２３が形成されるとともに取付部９に凸状の係止部９７、９８が形成されるものとしたが、マグネット収容部に凸状の係止部が形成されるとともに取付部に凹状又は貫通孔状の係止部が形成されてもよい。
【００４６】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。
【符号の説明】
【００４７】
１…電動弁、１０…弁本体、６２…ケース（マグネット収容部）、６３…マグネットロータ、２０…ステータコイル、８…本体部、８３…コイル、９…取付部、９１，９２…脚部（支持部）、９５…連結部（周囲部）、９５１Ａ，９５２Ａ…挟持部、９７，９８…係止部
【図１】
2022002452.tif 000003
【図２】
2022002452.tif 000004
【図３】
2022002452.tif 000005
【図４】
2022002452.tif 000006
【図５】
2022002452.tif 000007
【図６】
2022002452.tif 000008
【図７】
2022002452.tif 000009
【図８】
2022002452.tif 000010